(57)【要約】【課題】放射・伝道ノイズによる不要な雑音の発生を確実に防止する通信装置および通信装置におけるノイズ除去方法を提供する【解決手段】通信時にＦＡＸ  Ｍｏｄｅｍが受信信号電力を監視し、交換機のサービストーン、ＦＡＸ信号、ＤＴＭＦ信号等以外の信号の発生が所定の条件（例えば、サービストーン等以外の信号が所定時間以上発生、信号レベルが所定レベル以上かつ所定時間以上発生、特定周波数の信号かつ所定時間以上発生、特定周波数の信号かつ所定レベル以上、特定周波数の信号かつ所定レベル以上かつ所定時間以上発生等）を具備した際に、挿入制御部が減衰器またはフィルタ回路を送信経路および受信経路に挿入する。【選択図】図２
2008187275.tif 000002
【特許請求の範囲】
【請求項１】
公衆回線網経由の信号の送受信を行う網制御装置と、
前記網制御装置が信号を受信して通話状態に切り替えた際に、該受信した信号が所定の条件を満たすか否か監視する監視手段と、
前記受信した信号が前記監視手段により前記所定の条件を満たすと監視された場合、前記網制御装置内の変圧器とファクシミリ通信用モデムとの間の経路にノイズ除去手段を挿入するよう制御する挿入制御手段と
を具備することを特徴とする通信装置。
【請求項２】
前記所定の条件は、
前記信号の発生時間が所定の時間を超える、前記信号のレベルが所定レベルを超える、前記信号の周波数が特定の周波数であるの少なくとも１つまたはこれらの組み合わせである
ことを特徴とする請求項１記載の通信装置。
【請求項３】
前記ノイズ除去手段は、
減衰器、フィルタ回路、位相反転器の少なくとも１つである
ことを特徴とする請求項１記載の通信装置。
【請求項４】
公衆回線網経由の信号の送受信を行う網制御装置が信号を受信して通話状態に切り替えた際に、該受信した信号が所定の条件を満たすか否か監視し、
前記受信した信号が前記所定の条件を満たす場合、前記網制御装置内の変圧器とファクシミリ通信用モデムとの間の経路にノイズ除去手段を挿入する
ことを特徴とする通信装置におけるノイズ除去方法。
【請求項５】
前記所定の条件は、
前記信号の発生時間が所定の時間を超える、前記信号のレベルが所定レベルを超える、前記信号の周波数が特定の周波数であるの少なくとも１つまたはこれらの組み合わせである
ことを特徴とする請求項４記載の通信装置におけるノイズ除去方法。
【請求項６】
前記ノイズ除去手段は、
減衰器、フィルタ回路、位相反転器の少なくとも１つである
ことを特徴とする請求項４記載の通信装置におけるノイズ除去方法。
【発明の詳細な説明】
【技術分野】
【０００１】
本発明は、通信装置および通信装置におけるノイズ除去方法に関する。
【背景技術】
【０００２】
放射・伝導ノイズにより電話端末に可聴音声帯域内に雑音が発生する場合がある。ファクシミリ通信では放射・伝導ノイズにより通信が成立しないということがある。
【０００３】
そのための対策として、例えば、コイルとコンデンサとで構成される回路により外部および内部雑音周波数を除去する通信・情報端末装置がある（例えば、特許文献１参照。）。
【特許文献１】特開平９−２７５４２１号公報
【発明の開示】
【発明が解決しようとする課題】
【０００４】
本発明は、放射・伝道ノイズによる不要な雑音の発生を確実に防止する通信装置および通信装置におけるノイズ除去方法を提供することを目的とする。
【課題を解決するための手段】
【０００５】
上記目的を達成するため、請求項１の発明は、公衆回線網経由の信号の送受信を行う網制御装置と、前記網制御装置が信号を受信して通話状態に切り替えた際に、該受信した信号が所定の条件を満たすか否か監視する監視手段と、前記受信した信号が前記監視手段により前記所定の条件を満たすと監視された場合、前記網制御装置内の変圧器とファクシミリ通信用モデムとの間の経路にノイズ除去手段を挿入するよう制御する挿入制御手段と
を具備することを特徴とする。
【０００６】
また、請求項２の発明は、請求項１の発明において、前記所定の条件は、前記信号の発生時間が所定の時間を超える、前記信号のレベルが所定レベルを超える、前記信号の周波数が特定の周波数であるの少なくとも１つまたはこれらの組み合わせであることを特徴とする。
【０００７】
また、請求項３の発明は、請求項１の発明において、前記ノイズ除去手段は、減衰器、フィルタ回路、位相反転器の少なくとも１つであることを特徴とする。
【０００８】
また、請求項４の発明は、公衆回線網経由の信号の送受信を行う網制御装置が信号を受信して通話状態に切り替えた際に、該受信した信号が所定の条件を満たすか否か監視し、前記受信した信号が前記所定の条件を満たす場合、前記網制御装置内の変圧器とファクシミリ通信用モデムとの間の経路にノイズ除去手段を挿入することを特徴とする。
【０００９】
また、請求項５の発明は、請求項４の発明において、前記所定の条件は、前記信号の発生時間が所定の時間を超える、前記信号のレベルが所定レベルを超える、前記信号の周波数が特定の周波数であるの少なくとも１つまたはこれらの組み合わせであることを特徴とする。
【００１０】
また、請求項６の発明は、前記ノイズ除去手段は、減衰器、フィルタ回路、位相反転器の少なくとも１つであることを特徴とする。
【発明の効果】
【００１１】
請求項１および４に記載の発明は、本構成を有しない場合に比較して、外部からの放射・伝道ノイズが印加した場合でも問題なく通信を行うことが可能となる。
【００１２】
また、請求項２および５に記載の発明は、本構成を有しない場合に比較して、種々のノイズに対応したノイズ除去を行うことが可能となる。
【００１３】
また、請求項３および６に記載の発明は、本構成を有しない場合に比較して、種々のノイズ除去手段を用いることが可能となる。
【発明を実施するための最良の形態】
【００１４】
以下、本発明に係る通信装置および通信装置におけるノイズ除去方法の実施の形態について添付図面を参照して詳細に説明する。
【００１５】
図１は、本発明を適用したファクシミリ装置１の概略構成の一例を示すブロック図である。
【００１６】
図１に示すように、ファクシミリ装置１は、ファクシミリ装置１の制御を行うＣＰＵ２と、ＣＰＵ２の動作プログラムを記憶するＲＯＭ３／ＲＡＭ４と、公衆回線網経由の音声信号の送受信を行う網制御部５と、ファクシミリ通信（送信および受信）の機能を有するＦＡＸ  Ｍｏｄｅｍ６と、画像の符号化／復号化および解像度変換を行うＣｏｄｅｃ／解像度変換部７とを具備して構成される。
【００１７】
図２は、網制御部５の詳細な構成の一例を示す図である。
【００１８】
Ｌ１／Ｌ２端子によって回線と接続し、回線はＲｅｌａｙ８を介してＴｒａｎｓ９に接続する。図２に示すＲｅｌａｙ８の状態は回線が切断された状態である。Ｒｅｌａｙ８が起動されスイッチが切り替わると、回線がＴｒａｎｓ９に接続され、通信状態に切り替わる。Ｔｒａｎｓ９とＦＡＸ  Ｍｏｄｅｍ６との間は４線のため、送信経路と受信経路とに分岐され、それぞれ減衰器（１０１、１０２）およびＢＰＦ［Band-pass filter］等のフィルタ回路（１１１、１１２）が追加されてＦＡＸ  Ｍｏｄｅｍ６へと接続されている。ＲＩＮＧ検出器１２は回線切断時に交換機からの呼び出し信号を検出する素子であり、通常はフォトカプラで実現される。
【００１９】
アナログスイッチ等で構成される挿入制御部１３によって送信経路および受信経路への減衰器（１０１、１０２）またはフィルタ回路（１１１、１１２）の挿入の制御が行われる。具体的には、通信時にＦＡＸ  Ｍｏｄｅｍ６が受信信号電力を監視し、交換機のサービストーン（前記公衆網や独自網で提供されるリングバックトーンやビジートーン等の）、ＦＡＸ信号、ＤＴＭＦ（Dual Tone Multi Frequency）信号等以外の信号の発生が所定の条件を具備した際に、挿入制御部１３が減衰器（１０１、１０２）またはフィルタ回路（１１１、１１２）を送信経路および受信経路に挿入する。なお、所定の条件とは、サービストーン等以外の信号が所定時間以上発生、信号レベルが所定レベル以上かつ所定時間以上発生、特定周波数の信号かつ所定時間以上発生、特定周波数の信号かつ所定レベル以上、特定周波数の信号かつ所定レベル以上かつ所定時間以上発生等である。
【００２０】
次に、サービストーン等以外の信号が所定時間以上発生を所定の条件とする減衰器（または、フィルタ回路）の挿入制御の処理手順について図３に示すフローチャートを参照して説明する。
【００２１】
網制御部内の回路が接続し（Ｓ３０１）、ＦＡＸ  Ｍｏｄｅｍが信号を検出しなかった場合（Ｓ３０２でＮＯ）、Ｓ３０３に進み、また、ＦＡＸ  Ｍｏｄｅｍが信号を検出した場合（Ｓ３０２でＹＥＳ）、Ｓ３０５に進む。
【００２２】
ＦＡＸ  Ｍｏｄｅｍが信号を検出しなかった場合（Ｓ３０２でＮＯ）、回路接続からの時間を計測し、Ｔｉｍｅ  Ｏｕｔになると（Ｓ３０３でＹＥＳ）、網制御部内の回路を切断し（Ｓ３０４）、処理手順を終了する。
【００２３】
ＦＡＸ  Ｍｏｄｅｍが信号を検出した場合（Ｓ３０２でＹＥＳ）、検出した信号の種類を識別し、当該信号がサービストーン、ＦＡＸ信号またはＤＴＭＦ信号である場合（Ｓ３０５でＹＥＳ）、Ｓ３０６に進み、また、当該信号がサービストーン、ＦＡＸ信号またはＤＴＭＦ以外の信号である場合（Ｓ３０５でＮＯ）、Ｓ３０７に進む。
【００２４】
検出した信号がサービストーン、ＦＡＸ信号またはＤＴＭＦ信号である場合（Ｓ３０５でＹＥＳ）、各信号に応じた動作を実施（例えば、ビジートーンの場合は回線を開放してリダイヤルを実施、ＦＡＸ信号の場合は相手ファクシミリ装置との通信を開始、ＤＴＭＦ信号の場合は電話への切替等指定された動作を実施）し（Ｓ３０６）、処理手順を終了する。
【００２５】
当該信号がサービストーン、ＦＡＸ信号またはＤＴＭＦ以外の信号である場合（Ｓ３０５でＮＯ）、ＦＡＸ  Ｍｏｄｅｍが信号を監視し、信号が所定時間以上発生しなかった場合（Ｓ３０７でＮＯ）、Ｓ３０２に戻り、また、信号が所定時間以上発生した場合（Ｓ３０７でＹＥＳ）、減衰器（または、フィルタ回路）を送信経路および受信経路に挿入し（Ｓ３０８）、処理手順を終了する。
【００２６】
次に、サービストーン等以外の信号が信号レベルが所定レベル以上かつ所定時間以上発生を所定の条件とする減衰器（または、フィルタ回路）の挿入制御の処理手順について図４に示すフローチャートを参照して説明する。
【００２７】
網制御部内の回路が接続し（Ｓ４０１）、ＦＡＸ  Ｍｏｄｅｍが信号を検出しなかった場合（Ｓ４０２でＮＯ）、Ｓ４０３に進み、また、ＦＡＸ  Ｍｏｄｅｍが信号を検出した場合（Ｓ４０２でＹＥＳ）、Ｓ４０５に進む。
【００２８】
ＦＡＸ  Ｍｏｄｅｍが信号を検出しなかった場合（Ｓ４０２でＮＯ）、回路接続からの時間を計測し、Ｔｉｍｅ  Ｏｕｔになると（Ｓ４０３でＹＥＳ）、網制御部内の回路を切断し（Ｓ４０４）、処理手順を終了する。
【００２９】
ＦＡＸ  Ｍｏｄｅｍが信号を検出した場合（Ｓ４０２でＹＥＳ）、検出した信号の種類を識別し、当該信号がサービストーン、ＦＡＸ信号またはＤＴＭＦ信号である場合（Ｓ４０５でＹＥＳ）、Ｓ４０６に進み、また、当該信号がサービストーン、ＦＡＸ信号またはＤＴＭＦ以外の信号である場合（Ｓ４０５でＮＯ）、Ｓ４０７に進む。
【００３０】
検出した信号がサービストーン、ＦＡＸ信号またはＤＴＭＦ信号である場合（Ｓ４０５でＹＥＳ）、各信号に応じた動作を実施（例えば、ビジートーンの場合は回線を開放してリダイヤルを実施、ＦＡＸ信号の場合は相手ファクシミリ装置との通信を開始、ＤＴＭＦ信号の場合は電話への切替等指定された動作を実施）し（Ｓ４０６）、処理手順を終了する。
【００３１】
当該信号がサービストーン、ＦＡＸ信号またはＤＴＭＦ以外の信号である場合（Ｓ４０５でＮＯ）、ＦＡＸ  Ｍｏｄｅｍが信号を監視し、信号レベルが所定レベル以下である場合（Ｓ４０７でＮＯ）、Ｓ４０２に戻り、また、信号レベルが所定レベル以上である場合（Ｓ４０７でＹＥＳ）、Ｓ４０８に進む。
【００３２】
信号レベルが所定レベル以上である場合（Ｓ４０７でＹＥＳ）、ＦＡＸ  Ｍｏｄｅｍが信号を監視し、信号が所定時間以上発生しなかった場合（Ｓ４０８でＮＯ）、Ｓ４０２に戻り、信号が所定時間以上発生した場合（Ｓ４０８でＹＥＳ）、減衰器（または、フィルタ回路）を送信経路および受信経路に挿入し（Ｓ４０９）、処理手順を終了する。
【００３３】
次に、サービストーン等以外の信号が特定周波数の信号かつ所定レベル以上かつ所定時間以上発生を所定の条件とする減衰器（または、フィルタ回路）の挿入制御の処理手順について図５に示すフローチャートを参照して説明する。
【００３４】
網制御部内の回路が接続し（Ｓ５０１）、ＦＡＸ  Ｍｏｄｅｍが信号を検出しなかった場合（Ｓ５０２でＮＯ）、Ｓ５０３に進み、また、ＦＡＸ  Ｍｏｄｅｍが信号を検出した場合（Ｓ５０２でＹＥＳ）、Ｓ５０５に進む。
【００３５】
ＦＡＸ  Ｍｏｄｅｍが信号を検出しなかった場合（Ｓ５０２でＮＯ）、回路接続からの時間を計測し、Ｔｉｍｅ  Ｏｕｔになると（Ｓ５０３でＹＥＳ）、網制御部内の回路を切断し（Ｓ５０４）、処理手順を終了する。
【００３６】
ＦＡＸ  Ｍｏｄｅｍが信号を検出した場合（Ｓ５０２でＹＥＳ）、検出した信号の種類を識別し、当該信号がサービストーン、ＦＡＸ信号またはＤＴＭＦ信号である場合（Ｓ５０５でＹＥＳ）、Ｓ５０６に進み、また、当該信号がサービストーン、ＦＡＸ信号またはＤＴＭＦ以外の信号である場合（Ｓ５０５でＮＯ）、Ｓ５０７に進む。
【００３７】
検出した信号がサービストーン、ＦＡＸ信号またはＤＴＭＦ信号である場合（Ｓ５０５でＹＥＳ）、各信号に応じた動作を実施（例えば、ビジートーンの場合は回線を開放してリダイヤルを実施、ＦＡＸ信号の場合は相手ファクシミリ装置との通信を開始、ＤＴＭＦ信号の場合は電話への切替等指定された動作を実施）し（Ｓ５０６）、処理手順を終了する。
【００３８】
当該信号がサービストーン、ＦＡＸ信号またはＤＴＭＦ以外の信号である場合（Ｓ５０５でＮＯ）、ＦＡＸ  Ｍｏｄｅｍが信号を監視し、信号が特定の周波数ではない場合（Ｓ５０７でＮＯ）、Ｓ５０２に戻り、また、信号が特定の周波数である場合（Ｓ５０７でＹＥＳ）、Ｓ５０８に進む。
【００３９】
信号が特定の周波数である場合（Ｓ５０７でＹＥＳ）、ＦＡＸ  Ｍｏｄｅｍが信号を監視し、信号レベルが所定レベル以下である場合（Ｓ５０８でＮＯ）、Ｓ５０２に戻り、また、信号レベルが所定レベル以上である場合（Ｓ５０８でＹＥＳ）、Ｓ５０９に進む。
【００４０】
信号レベルが所定レベル以上である場合（Ｓ５０８でＹＥＳ）、ＦＡＸ  Ｍｏｄｅｍが信号を監視し、信号が所定時間以上発生しなかった場合（Ｓ５０９でＮＯ）、Ｓ５０２に戻り、信号が所定時間以上発生した場合（Ｓ５０９でＹＥＳ）、減衰器（または、フィルタ回路）を送信経路および受信経路に挿入し（Ｓ５１０）、処理手順を終了する。
【００４１】
なお、減衰器またはフィルタ回路の代わりに、位相反転器を用いる構成も適用可能である。
【図面の簡単な説明】
【００４２】
【図１】本発明を適用したファクシミリ装置の概略構成の一例を示すブロック図である。
【図２】網制御部の詳細な構成の一例を示す図である。
【図３】サービストーン等以外の信号が所定時間以上発生を所定の条件とする減衰器（または、フィルタ回路）の挿入制御の処理手順を示すフローチャートである。
【図４】サービストーン等以外の信号が信号レベルが所定レベル以上かつ所定時間以上発生を所定の条件とする減衰器（または、フィルタ回路）の挿入制御の処理手順を示すフローチャートである。
【図５】サービストーン等以外の信号が特定周波数の信号かつ所定レベル以上かつ所定時間以上発生を所定の条件とする減衰器（または、フィルタ回路）の挿入制御の処理手順を示すフローチャートである。
【符号の説明】
【００４３】
１    ファクシミリ装置
２    ＣＰＵ
３    ＲＯＭ
４    ＲＡＭ
５    網制御部
６    ＦＡＸ  Ｍｏｄｅｍ
７    Ｃｏｄｅｃ／解像度変換部
８    Ｒｅｌａｙ
９    Ｔｒａｎｓ
１０１、１０２    減衰器
１１１、１１２    フィルタ回路
１２    ＲＩＮＧ検出器
１３    挿入制御部
【図１】
2008187275.tif 000003
【図２】
2008187275.tif 000004
【図３】
2008187275.tif 000005
【図４】
2008187275.tif 000006
【図５】
2008187275.tif 000007